(57)【要約】      （修正有）【課題】意図しない操作の発生を防ぐ入力装置を提供する。【解決手段】操作部と、前記操作部の所定領域下に配されて同一の入力動作に対応付けられる複数の検知手段４０ａ〜４０ｎと、前記複数の検知手段の検知結果に基づいて前記所定領域に対する操作体の接近又は接触を判定し、判定結果に基づいて前記入力動作に応じた制御信号を出力する出力部６０と、を備える。【選択図】図３
2015111340.tif 000002
【特許請求の範囲】
【請求項１】
操作部と、
前記操作部の所定領域下に配されて同一の入力動作に対応付けられる複数の検知手段と、
前記複数の検知手段の検知結果に基づいて前記所定領域に対する操作体の接近又は接触を判定し、判定結果に基づいて前記入力動作に応じた制御信号を出力する制御部と、
を備える入力装置。
【請求項２】
前記制御部は前記複数の検知手段の内、過半数の検知手段の検知結果に基づいて前記所定領域に対する前記操作体の接近又は接触を判定する請求項１に記載の入力装置。
【請求項３】
前記操作部において複数の所定領域が設けられる際に、前記制御部は複数の所定領域において各所定領域下に配される複数の検知手段の検知結果に基づいて、複数の所定領域に対する操作体の接近又は接触を判定し、判定結果に基づいて複数の入力動作に応じた制御信号を出力する請求項１又は請求項２に記載の入力装置。
【請求項４】
前記操作部において複数の所定領域が設けられる際に、複数の所定領域において各所定領域下に配される複数の電極に対して複数の入力動作が対応付けられる請求項１又は請求項２に記載の入力装置。
【請求項５】
各所定領域下に配される複数の検知手段は前記複数の所定領域の並び方向に配置される請求項３又は請求項４に記載の入力装置。
【発明の詳細な説明】
【技術分野】
【０００１】
本発明は、所定の入力動作に応じた制御信号を出力する入力装置に関する。
【背景技術】
【０００２】
近年、携帯端末や設置型端末（銀行ＡＴＭや券売機など）等の端末装置において、画像が表示される画面を指等の操作体で触ることにより、端末装置の機能を利用する、いわゆるタッチパネルが広く普及している（例えば特許文献１参照）。
【０００３】
このようなタッチパネルは画像が表示される画面以外にも使用されており、例えば放送受信装置では本体筐体のフロントパネルの下部にて予め定められた所定の領域に触れることで音量の大小、チャンネルの選局（選局するチャンネル番号の増減）などを操作することができるものがある。
【先行技術文献】
【特許文献】
【０００４】
【特許文献１】特開２００８−１６０５３号公報
【発明の概要】
【発明が解決しようとする課題】
【０００５】
タッチパネルは操作部に直接触れることで簡単に操作できるという利点を有するが、その反面、意図せず操作部に触れてしまった場合には意図しない操作が行われることになる。
【０００６】
本発明は上述した問題点に鑑み、意図しない操作の発生を防ぐ入力装置を提供すること目的とする。
【課題を解決するための手段】
【０００７】
上記目的を達成するために本発明の入力装置は、操作部と、前記操作部の所定領域下に配されて同一の入力動作に対応付けられる複数の検知手段と、前記複数の検知手段の検知結果に基づいて前記所定領域に対する操作体の接近又は接触を判定し、判定結果に基づいて前記入力動作に応じた制御信号を出力する出力部と、を備えることを特徴としている。
【０００８】
また上記構成の入力装置において、前記出力部は前記複数の検知手段の内、過半数の検知手段の検知結果に基づいて前記所定領域に対する前記操作体の接近又は接触を判定することが望ましい。
【０００９】
また上記構成の入力装置において、複数の所定領域において各所定領域下に配される複数の電極に対して複数の入力動作が対応付けられることが望ましい。
【００１０】
また上記構成の入力装置において、前記操作部において複数の所定領域が設けられる際に、各所定領域下に配される複数の検知手段は前記複数の所定領域の並び方向に配置されることが望ましい。
【００１１】
また上記構成の入力装置において、前記制御部は複数の所定領域において各所定領域下に配される複数の検知手段の検知結果に基づいて、複数の所定領域に対する操作体の接近又は接触を判定し、判定結果に基づいて複数の入力動作に応じた制御信号を出力することが望ましい。
【発明の効果】
【００１２】
本発明によれば、操作部の所定領域下に複数の検知手段が配され、複数の検知手段の検知結果に基づいて所定領域に対する操作体の接近又は接触を判定する。従って単一の検知手段の検知結果に基づいて判定するのに比べて、操作体が意図せず所定領域に接近又は接触した際に操作体が所定領域に対して接近又は接触したと判定されにくい。この判定結果に基づいて複数の検知手段に対応付けられる入力動作に応じた制御信号が出力されるので、意図しない操作の発生を防ぐことができる。
【図面の簡単な説明】
【００１３】
【図１】一実施形態の放送受信装置の正面図
【図２】図１のＨ部の拡大図
【図３】電極の配置例を示す第１の図
【図４】電極の配置例を示す第２の図
【図５】電極の配置例を示す第３の図
【図６】合計値としきい値との関係を示すグラフ
【図７】電極の配置例を示す第４の図
【図８】押圧式スイッチを含む電気回路の一例を示す回路図
【発明を実施するための形態】
【００１４】
＜第１実施形態＞
以下に本発明の入力装置に関し、入力装置の一例として放送受信装置を例に図面を参照して説明する。入力装置としては放送受信装置に限られるものではなく、入力装置として適用可能な電子機器であれば特に限られるものではない。また、以下に示す放送受信装置は一例を示すものであって、本発明をこの放送受信装置に特定することを意図するものではなく、特許請求の範囲に含まれるその他の実施形態の放送受信装置にも等しく適応し得るものである。
【００１５】
図１は本実施形態の放送受信装置の正面図である。図２は図１のＨ部の拡大図である。図３は電極の配置例を示す第１の図である。
【００１６】
放送受信装置１００は映像を表示する表示部１、前面に開口を有する略矩形箱形の筐体２、操作部（操作パネル）３及びスタンド４を備える。表示部１は例えば液晶表示パネルであり、その場合、表示部１の映像表示面とは反対側の背面側にバックライトユニットが配される（不図示）。
【００１７】
筐体２はフロントシャーシ２１とバックシャーシ（不図示）から構成され、フロントシャーシ２１は表示部１及びバックライトユニットを表示部１の映像表示面側から覆い、バックシャーシはバックライトユニットの背面側から覆う。
【００１８】
操作部３はフロントシャーシ２１の一辺を構成する枠部２１ａに隣接して設けられ、後述する電極、判定部、出力部を保護する保護カバーである。また、操作部３の略中央部には放送受信装置１００の機能のうち比較的高頻度で使用される機能を表象する図形が描かれる。図２を参照して操作部３には、図２の紙面に向かって左手側から音量の増減、メニュー、入力切換、選局チャンネル番号の増減を表象する画像が描かれている。
【００１９】
操作部３に描かれている機能を表象する画像はこれらに限られず適宜所定の機能を表象する画像を描けばよい。なお、図２において破線矩形図形は操作部３の背面に対向して配置される電極の位置を概念的に示したものであり、操作部３に描かれる図形を示すものではない。以下、明細書及び特許請求の範囲にて各破線矩形図形を「所定領域」とも称する。
【００２０】
操作部３の所定領域３１〜３７の各所定領域の背面側には夫々複数の電極（図３参照）が配される（以下、明細書及び特許請求の範囲にて「所定領域の背面に対向配置される」を「所定領域下に配される」と称することもある。）。図２及び図３を参照して所定領域３１下には電極４０ａ及び４０ｂ、所定領域３２下には電極４０ｃ及び４０ｄ、所定領域３３下には電極４０ｅ及び４０ｆ、所定領域３４下には電極４０ｇ及び４０ｈ、所定領域３５下には電極４０ｉ及び４０ｊ、所定領域３６下には電極４０ｋ及び４０ｌ、所定領域３７下には電極４０ｍ及び４０ｎが配されている。以下、電極４０ａ〜４０ｎを区別する必要がない場合は単に電極４０と記載する。
【００２１】
電極４０はユーザの指等の操作体と自身との間で発生する静電容量を検知する検知手段であり、検知した静電容量出力値を判定部５０に対して出力する。同一の所定領域下に配される２個の電極４０（例えば所定領域３１下に配される電極４０ａ及び４０ｂ）は、所定領域３１〜３７の並び方向と同一方向に配置される。電極４０の大きさ、形状及び配置間隔は特に限られるものではない。
【００２２】
同一の所定領域下に配される２個の電極４０は当該所定領域に描かれる図形が表象する同一の入力動作に対応付けられており、例えば所定領域３３下に配される電極４０ｅ及び４０ｆは「メニュー画面を表示する」という入力動作に対応付けられる。本実施形態において各電極４０と判定部５０とは夫々異なる配線パターンにより接続され、判定部５０は各電極４０の静電容量出力値を個別に取得する。
【００２３】
判定部５０は各電極４０の静電容量出力値を取得し、同一の入力動作に対応付けられた２個の電極４０から取得した各静電容量出力値に基づいて操作体が接近又は接触した所定領域を判定する判定手段である。判定部５０は所定領域に対して操作体が接近又は接触したと判定したときは当該所定領域に対応付けられた電圧を出力部６０に出力する。例えば判定部５０は電極４０ｇ及び４０ｈの双方の静電容量出力値がしきい値以上であるときに操作体が所定領域３４に接近又は接触したと判定し、所定領域３４に対応付けられた電圧を出力部６０に出力する。
【００２４】
言い換えれば電極４０ｇ及び４０ｈのうち一方又は双方の静電容量出力値がしきい値未満であるときは操作体が所定領域３４に接近又は接触したとは判定せず、所定領域３４に対応付けられた電圧を出力部６０に出力しない。
【００２５】
出力部６０はＡ／Ｄ入力ポート（不図示）を備え、当該ポートを介して判定部５０と接続される。出力部６０は判定部５０から入力された電圧値に対応付けられた入力動作に応じた制御信号を出力し、放送受信装置１００に機能を発揮させる。電極４０、判定部５０及び出力部６０は図示しない基板上に設けられる。
【００２６】
以上のことから、例えばユーザが選局チャンネルの番号を大きな数字に変更したいと考えた場合、所定領域３５下に配された電極４０ｉ及び４０ｊの双方がしきい値以上の静電容量出力値を出力するように操作体を所定領域３５の略中央部付近に接近又は接触させなければ選局チャンネルの番号を大きな数字に変更することができない。つまり、所定領域３５の隅部等に触れて電極４０ｉ及び４０ｊの一方のみがしきい値以上の静電容量出力値を出力しても選局チャンネルの番号が変わらない。
【００２７】
本実施形態によれば、操作部の所定領域下に複数の検知手段が配され、複数の検知手段の検知結果に基づいて所定領域に対する操作体の接近又は接触を判定する。従って単一の検知手段の検知結果に基づいて判定するのに比べて、操作体が意図せず所定領域に接近又は接触した際に操作体が所定領域に対して接近又は接触したと判定されにくい。この判定結果に基づいて複数の検知手段に対応付けられる入力動作に応じた制御信号が出力されるので、意図しない操作の発生を防ぐことができる。
【００２８】
また、所定領域下に配される複数の検知手段は複数の所定領域の並び方向に配される。所定領域に対する操作体のズレは所定領域の並び方向に沿って発生しやすいが、複数の検知手段を所定領域の並び方向に沿って配置したので操作体の位置ズレが生じた際に複数の検知手段の双方が所定領域に対する操作体の接近又は接触を検知しにくく、意図しない操作の発生を最小限に抑えることができる。
【００２９】
また、検知手段は操作体と自身との間で発生する静電容量に基づく静電容量出力値を制御部に対して出力する。従って操作部に近づき、或いは軽く触れるのみで簡単に操作ができる。
【００３０】
なお、本実施形態では判定部５０と出力部６０とを別構成として説明したが、単一の構成であってもよい。その場合、判定部５０と出力部６０とをまとめて制御部と称することができる。つまり、制御部が検知手段の検知結果を取得して所定領域に対する操作体が接近又は接触を判定し、判定結果に基づいてその所定領域下に配された複数の検知手段に対応付けられた入力動作に応じた制御信号を出力すると言い換えることができる。
【００３１】
また、本実施形態では操作パネル３上において、音量の増減、メニュー、入力切換、選局チャンネル番号の増減を表象する画像が横方向に配列されていたため、図３に示すように各電極４０を横方向に配列したがこれに限られるものではない。例えば、操作パネル３上において、音量の増減、メニュー、入力切換、選局チャンネル番号の増減を表象する画像が縦方向に配列されている場合には図４に示すように各電極４０を縦方向に配列することとしてもよい。
【００３２】
＜第２実施形態＞
第１実施形態において各電極４０と判定部５０とは夫々異なる配線パターンにより接続されていたが１個の電極４０毎に判定部５０と接続しなくてもよい。本実施形態においては同一の所定領域下に配される（すなわち、同一の入力動作に対応付けられた）２個の電極４０毎に判定部５０と夫々異なる配線パターンにより接続される構成について説明する。なお、第１実施形態と重複する部分については説明を省略する。
【００３３】
図５は電極の配置例を示す第２の図である。図５に示すように電極４０と判定部５０とは、同一の所定領域下に配される２個の電極４０毎に判定部５０と夫々異なる配線パターンにより接続される。従って判定部５０は同一の所定領域下に配された２個の電極４０の夫々が出力する静電容量出力値の合計値（以下、「同一の所定領域下に配された２個の電極４０の夫々が出力する静電容量出力値の合計値」を「合計値」とも称する。）を取得し、合計値に基づいて操作体が接近又は接触した所定領域を判定し、当該所定領域に対応付けられた電圧を出力部６０に出力する。
【００３４】
例えば判定部５０は電極４０ｇ及び４０ｈの双方の静電容量出力値の合計値がしきい値以上であるときに操作体が所定領域３４に接近又は接触したと判定し、所定領域３４に対応付けられた電圧を出力部６０に出力する。
【００３５】
合計値に対するしきい値は例えば図６に示すグラフにより設定可能である。図６に示すグラフにおいて実線グラフは電極４０ｇ及び４０ｈの双方に静電容量の増加を生じさせるようにＴ1〜Ｔ2の間で操作体を接近又は接触させた際の合計値を示し、破線グラフは電極４０ｇ及び４０ｈの一方に静電容量の増加を生じさせるようにＴ1〜Ｔ2の間で操作体を接近又は接触させた際の合計値を示す。従って、しきい値として両グラフの極大値の間のいずれかの値を設定することで、判定部５０は電極４０ｇ及び４０ｈの一方のみに静電容量の増加が生じた場合に出力部６０に対して所定領域３４に対応付けられた電圧を出力部６０に出力しない。
【００３６】
本実施形態によれば第１実施形態と同様の効果を奏する。加えて、電極毎に静電容量出力値を検知する必要がないので、配線パターン数が少なくなり、基板の大型化を防ぐことができる。
【００３７】
＜第３実施形態＞
図７は電極の配置例を示す第４の図である。上記第１実施形態及び第２実施形態において各所定領域の下には夫々２個の電極４０が配されることとしたがこれに限られるものではなく、任意の個数を配することができる。
【００３８】
また、各所定領域下に配される電極数の数は同数でなくてもよい。例えば操作部３上において放送受信装置１００の機能を表象する画像が縦及び横方向に配列される場合には、その交点に該当する所定領域下には図７に示すように４個の電極４０を配することとして他の所定領域に比べて多い電極を配することとしてもよい。
【００３９】
ここで所定領域下に配される電極数が３個以上である場合の処理について説明する。図７において同一の所定領域下に配される電極４０ｇ、４０ｈ、４０ｉ、４０ｊと判定部５０とは夫々異なる配線パターンにより接続され、判定部５０は各電極４０の静電容量出力値を個別に取得する。
【００４０】
判定部５０は同一の入力動作に対応付けられた２個の電極４０から取得した各静電容量出力値に基づいて操作体が接近又は接触した所定領域を判定し、当該所定領域に対応付けられた電圧を出力部６０に出力する。例えば判定部５０は電極４０ｇ、４０ｈ、４０ｉ、４０ｊのうち半数を超える（３個以上）の電極４０の静電容量出力値がしきい値以上であるときに操作体が所定領域３４に接近又は接触したと判定し、所定領域３４に対応付けられた電圧を出力部６０に出力する。
【００４１】
言い換えれば電極４０ｇ、４０ｈ、４０ｉ、４０ｊのうち半数以上の電極４０の静電容量出力値がしきい値未満であるときは操作体が所定領域３４に接近又は接触したとは判定せず、所定領域３４に対応付けられた電圧を出力部６０に出力しない。
【００４２】
なお、本実施形態は第１実施形態の変形例として記載したが、第２実施形態の変形例として記載してもよい。すなわち、同一の所定領域下に配された４個の電極４０の夫々が出力する静電容量出力値の合計値がしきい値以上であるときに操作体が所定領域３４に接近又は接触したと判定し、所定領域３４に対応付けられた電圧を出力部６０に出力することとしてもよい。
【００４３】
本実施形態によれば第１実施形態又は第２実施形態と同様の効果を奏する。加えて、機能を表象する画像の配列状態等に応じて同一の所定領域下に配される電極の数を３個以上とすることができる。
【００４４】
＜第４実施形態＞
上記第１実施形態〜第３実施形態では各所定領域下に配する検知手段として、操作体と自身との間で発生する静電容量を検知する電極４０を配したが、検知手段としては電極４０に限られるものではない。所定領域に対する操作体の接近又は接触を検知可能な検知手段であればよく、例えば押圧式スイッチであってもよい。以下、押圧式スイッチを例に説明する。図８は押圧式スイッチを含む電気回路の一例を示す回路図である。
【００４５】
スイッチ７０ａ及び７０ｂは同一の所定領域下に配される押圧式のスイッチである。スイッチ７０ａ及びスイッチ７０ｂの双方が押圧されていない状態で電圧検出部８０は抵抗Ｒを介してＧＮＤに接続されており、Ｌｏｗレベルの電圧を検出する。
【００４６】
一方、スイッチ７０ａ及びスイッチ７０ｂの双方が押圧されると、電圧検出部８０は電源電圧Ｖｃｃと接続されてＨｉｇｈレベルの電圧を検知する。
【００４７】
電圧検出部８０は検出結果を出力部９０に出力し、出力部９０は電圧検出部８０から入力された電圧値に対応付けられた入力動作に応じた制御信号を出力し、放送受信装置１００に機能を発揮させる。なお、本実施形態では電圧検出部８０と出力部９０とを別構成として説明したが、単一の構成であってもよい。その場合、電圧検出部８０と出力部９０とをまとめて制御部と称することができる。
【００４８】
本実施形態によれば静電容量検知型の検知手段を用いなくても第１実施形態〜第３実施形態と同様の効果を奏する。
【００４９】
＜その他＞
上記各実施形態によれば所定領域毎に各所定領域に対して操作体が接近又は接触したか否かを判定し、各所定領域下に配される複数の検知手段に対応付けられた入力動作に応じた制御信号を出力して入力装置の機能が発揮される。従って、操作体が接近又は接触が同時に複数の所定領域で検知された場合（同時に複数の所定領域に対して操作体が接近又は接触したと判定された場合）には各所定領域下に配される複数の検知手段に対応付けられた複数の入力動作に応じた制御信号が出力される。
【００５０】
しかしながらこの場合に複数の入力動作に応じた制御信号を出力をせず、操作体が接近又は接触した所定領域の組み合わせに応じて１つの入力動作に応じた制御信号を出力することとしてもよい。以下、図１〜図３を参照して２箇所の所定領域に対して操作体が接近又は接触したときを例にして説明する。
【００５１】
第１実施形態によれば、電極４０ａ、４０ｂ、４０ｃ、４０ｄの全ての電極に対して静電容量の増加を生じさせるように操作体を所定領域３１、３２に接近又は接触させると、出力部６０は入力動作「音量の減少」に応じた制御信号及び入力動作「音量の増加」に応じた制御信号を出力する。しかしながらこの場合（所定領域３１と３２を同時押しした場合）には上記２つの制御信号を出力するのではなく、異なる入力動作（例えば録画開始）に応じた制御信号を出力することとしてもよい。
【００５２】
つまり所定領域３１と３２とを併せて１つの所定領域Ｘ（不図示）が構成され、電極４０ａは所定領域３１下に配されるとした場合には入力動作「音量の減少」に対応付けられ、所定領域Ｘ下に配されるとした場合には入力動作「録画開始」に対応付けられる。すなわち各電極４０は複数の入力動作に対応付けられることとしてもよく、判定部５０は静電容量の増加が生じた電極の組み合わせに応じてどの所定領域に操作体が接近又は接触したかを判定し、その所定領域に対応付けられた電圧を出力部６０に出力する。
【００５３】
当該構成によれば、操作部３上において機能を表象する画像を配列可能なスペースが狭く、表象画像数が少ない場合でも組み合わせにより多くの機能を発揮することができる。
【００５４】
上述したように入力装置としては放送受信装置に限られるものではない。例えは表示画面を有する端末装置において、表示画面上に表示されるアイコンを所定領域とし、アイコン下に複数の検知手段を配してアイコンに対する操作体の接近又は接触を判定し、複数の検知手段に対応付けられた入力動作に応じた制御信号を出力することとしてもよい。
【符号の説明】
【００５５】
１      表示部
２      筐体
３      操作部
４      スタンド
２１      フロントシャーシ
３１〜３７      所定領域
４０      電極
５０      判定部
６０、９０      出力部
７０      スイッチ
８０      電圧検出部
１００      放送受信装置
【図１】
2015111340.tif 000003
【図２】
2015111340.tif 000004
【図３】
2015111340.tif 000005
【図４】
2015111340.tif 000006
【図５】
2015111340.tif 000007
【図６】
2015111340.tif 000008
【図７】
2015111340.tif 000009
【図８】
2015111340.tif 000010